(57)【要約】【課題】中芯を設けなくても毛髪保持具全体の剛性が高いため操作性に優れると共に、毛髪保持シートへの毛髪処理剤の吸水量が少ないため毛髪処理剤を効率的に毛髪に移行させることができる毛髪保持具を提供すること。【解決手段】毛髪束を所定の形状に保持する１枚又は複数枚の毛髪保持シート２３Ａ，２３Ｂから構成され、毛髪保持シート２３Ａ，２３Ｂは、吸水量を低減させる吸水低減加工が施されている通水性シートで形成されている。【選択図】図１
2007130199.tif 000002
【特許請求の範囲】
【請求項１】
毛髪束を所定の形状に保持する１枚又は複数枚の毛髪保持シートから構成され、該毛髪保持シートは、吸水量を低減させる吸水低減加工が施されている通水性シートで形成されている毛髪保持具。
【請求項２】
前記吸水低減加工は、前記毛髪保持シートの吸水量をその自重の１．０倍以下にする加工である請求項１記載の毛髪保持具。
【請求項３】
前記毛髪保持シートからなる扁平形状の筒状体から構成されている請求項１又は２に記載の毛髪保持具。
【請求項４】
前記吸水低減加工は、ヒートエンボス加工又はカレンダー加工である請求項１〜３の何れかに記載の毛髪保持具。
【請求項５】
前記ヒートエンボス加工は、前記毛髪保持シートの一面には凹部を形成し、その他面には凹部を形成しない加工である請求項４記載の毛髪保持具。
【請求項６】
前記吸水低減加工は、前記通水性シートに樹脂を含浸させるか又は塗布する樹脂加工である請求項１〜３の何れかに記載の毛髪保持具。
【発明の詳細な説明】
【技術分野】
【０００１】
本発明は、毛髪束を所定の形状に巻回するときに用いられる毛髪保持具に関する。
【背景技術】
【０００２】
従来より、毛髪束を所定の形状に保持する毛髪保持シートから構成された毛髪保持具が使用されている。このような毛髪保持具によれば、毛髪保持シートに毛髪束を保持した状態で毛髪保持シートを巻き上げることにより、毛髪束を所定の形状に巻回することができる。このような毛髪保持具においては、操作性をよくするには一定レベル以上の高さの剛性（こわさ）を有している必要がある。
毛髪保持シートに中芯（補強用の部材）を設ければ毛髪保持具全体の剛性を高くすることができるが、毛髪保持シートに中芯を設けた構成は、操作性が煩わしくなる上に、毛髪保持具の重さも増加してしまうため好ましくない。
【０００３】
しかし、中芯を設けずに毛髪保持具全体の剛性を高くするには、通常、毛髪保持シートの厚みを厚くすることになるため、毛髪保持シート自体の吸水量が必然的に多くなる。そのため、毛髪処理剤を毛髪に十分供給するためには、毛髪処理剤が通常の使用量以上に必要となる。このため、毛髪処理剤のコストが高くなるという課題があった。
【０００４】
また、コスト等を考慮して、一般的に使用されるロッド（巻芯）を用いて毛髪処理を行う場合における毛髪処理剤の使用量と同量の毛髪処理剤を用いて毛髪処理を行うと、毛髪に毛髪処理剤が十分に供給されないため、十分な毛髪処理効果が得られず、特にパーマ処理の場合には、その仕上がりが弱かったり、パーマが持続しないという課題も生じていた。
一方、毛髪保持シートに孔部を設け、該孔部を通じて毛髪保持シートの通水性を高くすることにより、上記課題を改善する方法も考えられる（下記特許文献１参照）。
【０００５】
【特許文献１】実開昭６２−９３９０３号公報
【発明の開示】
【発明が解決しようとする課題】
【０００６】
しかし、毛髪保持シートに孔部を設けた構成では、毛髪保持シートの剛性、延いて毛髪保持具全体の剛性が低下し、操作性が損なわれるため好ましくない。また、前記孔部自体や孔部形成時のバリが毛髪に転写する点からも好ましくない。
【０００７】
従って、本発明の目的は、中芯を設けなくても毛髪保持具全体の剛性が高いため操作性に優れると共に、毛髪保持シートへの毛髪処理剤の吸水量が少ないため毛髪処理剤を効率的に毛髪に移行させることができる毛髪保持具を提供することにある。
【課題を解決するための手段】
【０００８】
本発明は、毛髪束を所定の形状に保持する１枚又は複数枚の毛髪保持シートから構成され、該毛髪保持シートは、吸水量を低減させる吸水低減加工が施されている通水性シートで形成されている毛髪保持具を提供することにより、上記目的を達成したものである。
【発明の効果】
【０００９】
本発明の毛髪保持具によれば、中芯を設けなくても毛髪保持具全体の剛性が高いため、操作性に優れている。また、毛髪保持シートへの毛髪処理剤の吸水量が少ないため、毛髪処理剤を効率的に毛髪に移行させることができる。
【発明を実施するための最良の形態】
【００１０】
以下、本発明の毛髪保持具を、その好ましい一実施形態について、図面を参照しながら説明する。
本実施形態の毛髪保持具１は、図１に示すように、毛髪束Ｈ（図３参照）を所定の形状に保持する２枚の毛髪保持シート２３Ａ，２３Ｂから構成されている。詳細には、本実施形態の毛髪保持具１は、毛髪保持シート２３Ａ，２３Ｂからなる扁平形状の筒状体２から構成されている。
【００１１】
本実施形態の毛髪保持具１について更に詳述する。本実施形態の毛髪保持具１は、図１に示すように、筒状体２、延設部４及び巻き締め片３を主体として構成されている。
筒状体２は、図１に示すように、扁平形状を有しており、一端の開口部２１から他端の開口部２２に向けて毛髪束Ｈ（図３参照）を挿通可能に構成されている。筒状体２は、その一面を形成する毛髪保持シート２３Ａとその他面を形成する毛髪保持シート２３Ｂとを、その長手方向両側部２４、２４同士で接合して形成されている。毛髪保持シート２３Ａは、毛髪保持シート２３Ｂよりも延設部４の分、長くなっている。
【００１２】
筒状体２の大きさは、毛髪の長さやくせ付けしたい場所、挿入する毛髪束の量に応じて適宜設定されるが、好ましくは、長さが５０〜３５０ｍｍ、幅が２０〜１００ｍｍである。
【００１３】
毛髪保持シート２３（毛髪保持シート２３Ａ，２３Ｂに共通する説明を行う際には、「毛髪保持シート２３」の表現を用いる）は、吸水量を低減させる吸水低減加工が施されている通水性シートで形成されている。
通水性シートとは、素材状態において通水性を有しているシートを意味する。従って、孔部やスリットを設けることにより初めて通水性が発現するシートは、通水性シートには含まれない。尚、図１に示す実施形態における毛髪保持シート２３Ｂのように、通水性シートから形成された毛髪保持シートにスリットや孔部を設けた形態を排除する意味ではない。
【００１４】
「通水性を有している」とは、液体ストライクスルーが５０秒以下であることをいう。液体ストライクスルーとは、シートの表面から裏面に向けて、所定量の生理食塩水が通過するのに要する時間（秒）を示すもので、ＥＤＡＮＡ（European Disposables And Nonwovens Association；ヨーロッパ不織布工業会）で規定されている試験方法「LIQUID STRIKE-THROUGH TIME 150.4-99」により測定されるものである。
液体ストライクスルーは、３０秒以下であることが好ましく、２０秒以下であることが更に好ましい。
【００１５】
通水性シートとしては、例えば、不織布（ポリエチレン不織布、ポリエチレンテレフタレート不織布等）、織布、網状シート、紙又はこれらの複合体が挙げられる。本実施形態における通水性シートは、ポリエチレン不織布である。
【００１６】
吸水低減加工は、通水性シートの吸水量を低減させる加工である。この吸水低減加工には、例えば通水性シートに孔部や有幅スリットを形成して通水性シートの一部を除去することにより通水性シートの面積を減少させて通水性シート全体の吸水量を低減させる加工は含まれず、通水性シートの面積を減少させることなく、通水性シートの吸水量を低減させる加工である。吸水低減加工の典型例は、通水性シートの単位面積あたりの吸水量を低減させる加工である。
【００１７】
吸水低減加工は、通水性シートの吸水量を低減させることができる加工であれば特に制限されないが、例えば、ヒートエンボス加工、カレンダー加工、樹脂加工が挙げられる。
ヒートエンボス加工は、通水性シートに熱及び圧力を付与して凹凸を形成する加工である。例えば、加熱されたエンボスロールと、該エンボスロールと対となるエンボスロール又はフラットロール（受けロール）との間に通水性シートを通過させることにより、通水性シートに熱及び圧力を付与することができる。
【００１８】
ヒートエンボス加工によれば、通水性シートを部分的に加熱しながら押圧することにより、図２に示すように、通水性シートに凹部６１を形成して、毛髪保持シート２３を得ることができる。凹部６１の底部６１Ａにおいては、通水性シートの構成繊維の押圧や構成繊維の溶融により、繊維間の空隙が減少して高密度化し、加工の程度によってはフィルム状となる。その結果、毛髪保持シート２３は、凹部６１以外の領域においては通水性が維持されており、凹部６１においては吸水性が低減しているため、シート全体として吸水性が低減する。
【００１９】
ヒートエンボス加工としては、特に、図２に示すように、毛髪保持シート２３の一面には凹部６１を形成し、その他面には凹部を形成しない加工が好ましい。このような加工は、エンボスロールとフラットロールとの組み合わせにより行われる。このように形成された一面のみに凹部６１が形成された毛髪保持シート２３は、凹部がなくフラットな他面を毛髪と接触させるように（つまり他面が筒状体２の内面に配置するように）設計することで、凹部６１を有する一面の表面形状が毛髪に転写するおそれがない点から好ましい。
【００２０】
凹部６１は、筒状体２の外面又は内面の何れに配置することができるが、毛髪保持シートにおける凹部６１を有する面の表面形状が毛髪へ転写することを防止する観点から、筒状体２の外面に配置することが好ましい。
本実施形態においては、毛髪保持シート２３Ａ，２３Ｂの両方について、図２に示すように、一面のみに凹部６１Ａが形成されるようにヒートエンボス加工を施し、このように形成された毛髪保持シート２３Ａ，２３Ｂから、図１に示すように、凹部６１が筒状体２の外面全域に亘って縦横に配置するようにして筒状体２を形成している。
尚、一対のエンボスロール間に通水性シートを通過させることにより、一面及び他面の両面に凹部が形成された毛髪保持シート（図示せず）を得ることもできる。
【００２１】
凹部６１の形状は、適宜設定されるが、例えば、正方形、長方形、円形、楕円形が挙げられる。
凹部６１の底部面積は、適宜設定されるが、好ましくは０．５〜１０ｍｍ2である。
筒状体２の外面の面積に対する凹部６１の底部の総面積の比は、好ましくは５〜７０％、更に好ましくは１０〜５０％である。
【００２２】
カレンダー加工は、２本以上のヒートロールを用い、その間を通水性シートを通過させて一定の厚さに圧延する加工方法である。
カレンダー加工によれば、通水性シートの構成繊維の繊維間が、通水性シートの構成繊維の押圧や構成繊維の溶融により、繊維間の空隙が減少して、高密度化し、加工の程度によってはフィルム状となる。その結果、毛髪保持シートは、通常、一面及び他面の両方が平滑面となり、シート全域において均一に吸水性が低減する。
【００２３】
樹脂加工は、通水性シートに樹脂を含浸させるか又は塗布する加工である。樹脂加工によれば、通水性シートの構成繊維の繊維間が、含浸又は塗布された樹脂により埋まり、繊維間における保水力が低減する。その結果、毛髪保持シートは、樹脂が含浸又は塗布された領域において均一に吸水性が低減する。
通水性シートに含浸又は塗布する樹脂としては、例えば、ビニル系樹脂、ポリオレフィン系樹脂、スチレン系樹脂、アクリル系樹脂又はその複合体が挙げられる。
【００２４】
吸水低減加工は、毛髪保持シートの吸水量を、その自重の１．０倍以下にすることが好ましく、その自重の０．３倍〜１．０倍にすることが更に好ましい。
吸水低減加工においては、加工前のシート（通水性シート）における単位面積あたりの吸水量Ｑ１（ｇ／ｍｍ2）に対する、加工後のシート（毛髪保持シート）における単位面積あたりの吸水量Ｑ２（ｇ／ｍｍ2）の比Ｑ２／Ｑ１が、３０〜９０％であることが好ましく、５０〜７０％であることが更に好ましい。
【００２５】
毛髪保持シートの密度は、好ましくは０．２５〜０．６ｇ／ｃｍ3である。毛髪保持シートの密度がこのような範囲であると、毛髪保持シートの剛性を維持したまま、吸水量を少なくできる。
毛髪保持シートの厚みは、好ましくは３０〜５００μｍである。
【００２６】
毛髪保持シートは、テーバーこわさが０．４ｍＮ・ｍ以上であることが好ましく、０．４〜１ｍＮ・ｍであることが更に好ましい。毛髪保持シートがこのような大きさのテーバーこわさを有していると、巻芯（ロッド）を使用しなくても、毛髪束が挿通された筒状体２を容易に綺麗な形状で巻き上げることができる。
【００２７】
毛髪保持シート２３Ａ，２３Ｂのどちらか一方のテーバーこわさが０．４ｍＮ・ｍ以上である場合には、巻き上げ時に内側に配置される毛髪保持シート２３Ａのテーバーこわさが０．４ｍＮ・ｍ以上であることが好ましい。毛髪保持シート２３Ａ，２３Ｂの両方のテーバーこわさが０．４ｍＮ・ｍ以上であると更に好ましい。
「テーバーこわさ」は、ＪＩＳ  Ｐ８１２５に規定される「こわさ試験方法」により測定される腰の強さ（剛性）の指標である。
【００２８】
筒状体２は、所定形状に巻き上げた状態が保持されるようにくせ付けをされている。詳細には、筒状体２は、毛髪保持シート２３Ｂを外側にしてロール状に巻き上げた状態が保持されるように、所定の手段によってくせ付けをされている。
そのため、筒状体２は、その長手方向に引き伸ばした状態にして、その状態から解放すると、ロール状に巻き上げられた状態へと自発的に巻き上げられるようになっている。このような筒状体２からなる毛髪保持具１は、巻き上げ操作が不要である上、クリップ等の巻き上げ形態を保持するための手段が不要であるという利点もある。
筒状体２にくせ付けをするためには、例えば、筒状体２をロール状に巻き上げ、所定の手段によってその巻き上げ形態を保持し、その状態下に筒状体２を所定温度に加熱すればよい。
【００２９】
筒状体２の一端の開口部２１の端部近傍には、図１に示すように、毛髪保持シート２３Ａから筒状体２の長手方向に延出した延設部４が設けられている。本実施形態においては、毛髪保持シート２３Ａと延設部４とは一体的に形成されている。
【００３０】
他方の毛髪保持シート２３Ｂには、その幅方向に延びるスリット２５が長手方向に離間して複数個設けられている。スリット２５は、毛髪保持シート２３Ｂの伸長性を高めることを主目的として形成されている。本実施形態においては、スリット２５の両端部２５Ａは打ち抜き加工により円形に形成されており、両端部２５Ａ以外の中央部２５Ｂは薄刃による切断加工により形成されている。
【００３１】
また、毛髪保持シート２３Ｂの一端の開口部２１側には、巻き留め部５１（後述）に係合可能な係合シート片５２が設けられている。係合シート片５２にもスリット２５が形成され、毛髪保持シート２３Ｂはこれらのスリット２５により分断されているが、全体として帯状片となっている。係合シート片５２は、巻き留め部５１に係合可能であれば種々のものを用いることができるが、例えば不織布が用いられる。係合シート片５２は、筒状体２の巻き径によって巻き留め部５１との係合位置が筒状体２の長手方向に変わるため、ある程度の長さを有していることが好ましく、例えば、長さが２〜１５ｃｍである。
本実施形態においては、一方の毛髪保持シート２３Ａにはスリットが形成されておらず、他方の毛髪保持シート２３Ｂにはスリット２５が７個形成されている。
【００３２】
延設部４における毛髪保持シート２３Ｂとは反対側には、巻き留め部５１が設けられている。巻き留め部５１は、係合シート片５２に係合可能となっており、巻き上げ状態の筒状体２における係合シート片５２に巻き留め部５１を係合させることにより筒状体２の巻き上げ状態を維持できるようになっている。巻き留め部５１としては、例えばメカニカルファスナーのオス部材を用いることができる。
巻き留め部５１は、毛髪保持シート２３Ｂの素材との組み合わせによっては、毛髪保持シート２３Ｂとも係合可能である。
【００３３】
筒状体２の他端の開口部２２近傍の両側縁部２４には、それぞれ、両側縁部２４から筒状体２の幅方向に延出する巻き締め片３，３が設けられている。巻き締め片３は、一方の毛髪保持シート２３Ａから延出して毛髪保持シート２３Ａと一体的に形成されており、その基端から自由端に向けて徐々に幅が細くなる台形形状を有している。尚、巻き締め片３の形成方法、形状、大きさ、厚さ、配置等は適宜設定される。
【００３４】
次に、本実施形態の毛髪保持具の一使用態様として、パーマ処理により毛髪（頭髪）に直接カールを付与する場合について、図３を参照しながら説明する。尚、図３においては、凹部６１及び係合シート片５２の図示を省略している。
まず、毛髪束Ｈの量や得ようとするカール形状に応じて、適当な長さ及び幅を有する筒状体２からなる毛髪保持具１を用い、筒状体２の一端の開口部２１を楕円形状に開口させ、毛髪束Ｈを一端の開口部２１の中へ挿入する。
【００３５】
毛髪束Ｈを筒状体２に挿通させた後、図３（ａ）及び（ｂ）に示すように、筒状体２をその他端の開口部２２の側から、一方の毛髪保持シート２３Ａを内側にして巻き上げる。この際、巻き締め片３を手で把持して筒状体２を巻き上げると、筒状体２を容易に且つ必要に応じてきつく巻き上げることができる。
筒状体２を巻き上げた後、図３（ｃ）に示すように、巻き留め部５１と係合シート片５２とを係合させる。その結果、筒状体２が所定の巻径の巻き上げ状態で固定される。
【００３６】
筒状体２が巻き上げられた状態下に、筒状体２に向けて第１のパーマ処理剤（還元剤）を付与する（図示せず）。筒状体２はパーマ処理剤に対して透過性の材料から構成されているので、パーマ処理剤は筒状体２を透過して毛髪束Ｈに施される。
所定時間放置後、筒状体２に向けて第２のパーマ処理剤（酸化剤）を付与し、再び所定時間放置する。これによって、筒状体２内に挿入されている毛髪束Ｈに対して、その巻き上げ形態のパーマウエーブが掛けられる。その後、毛髪束Ｈを筒状体２から取り出し、すすぎ洗いをし、更にシャンプー及びブローをする。
【００３７】
尚、筒状体２の一端の開口部２１から毛髪束Ｈを挿入させる際に、挿入をより容易にするために該開口部２１を真円状に開口させてもよい。毛髪束Ｈをフック可能なフック部が設けられた毛髪挿入具（図示せず）を用いると、毛髪束Ｈを筒状体２に容易に挿通できる。毛髪束Ｈの先端を筒状体２の他端の開口部２２からはみ出させてもよい。
【００３８】
本実施形態の毛髪保持具１によれば、毛髪保持シート２３が、吸水量を低減させる吸水低減加工が施されている通水性シートで形成されている。そのため、毛髪保持シート２３への毛髪処理剤の吸水量が少なく、毛髪処理剤を効率的に使用することができる。また、毛髪保持シート２３に、通水性を高くするための孔部やスリットがないため、毛髪保持シート２３の剛性の低下がほとんどなく、中芯を設けなくても毛髪保持具全体の剛性が高く、操作性に優れている。
【００３９】
吸水低減加工により形成された凹部６１が筒状体２の全域に亘って形成されているため、筒状体２の外面に付与された毛髪処理剤が筒状体２の外面に広がり易く、筒状体２に挿通されている毛髪束Ｈに均一に毛髪処理剤を付与することができる。
【００４０】
ヒートエンボス加工により形成される凹部の形状は、図１に示す形状に制限されない。凹部は、例えば、図４に示すように、毛髪保持シート２３の長手方向全長に亘って延びる直線帯状の凹部６２でもよく、曲線帯状の凹部（図示せず）でもよい。また、図５に示すように、文字形状の凹部６３でもよい。凹部は、文字以外の模様（図示せず）でもよい。
尚、図４及び図５においては、スリット、巻き留め部及び係合シート片の図示を省略しているが、図１に示す実施形態のように、スリット２５、巻き留め部５１、係合シート片５２等を設けてもよく、これらを設けなくてもよい。
【００４１】
前述した実施形態においては、毛髪保持具が、２枚の毛髪保持シート２３Ａ，２３Ｂからなる筒状体２から構成されているが、毛髪保持具１は、図６（ａ）に示すように、１枚の毛髪保持シート２３から構成されていてもよい。この毛髪保持シート２３には、毛髪束Ｈを挿通する挿通孔２６が複数個（６個）、長手方向に離間して形成されている。挿通孔２６は、幅方向に延びる楕円形状を有している。尚、挿通孔２６の形状は、毛髪束Ｈを挿通できれば、矩形状、スリット状等でもよい。
【００４２】
図６（ａ）に示す毛髪保持具１によれば、図６（ｂ）に示すように、毛髪束Ｈを、毛髪保持シート２３の一面及び他面に順次配されるように、挿通孔２６に順次挿通することができる。このようにして、毛髪束Ｈを毛髪保持シート２３に沿って保持した後、毛髪保持シート２３を巻き上げ、図１に示す毛髪保持具１と同様の操作で毛髪処理を行うことができる。
【００４３】
本発明における毛髪保持シートは、まず通水性シートを形成した後、形成された通水性シートに二次加工として吸水低減加工を施して形成することができる。また、毛髪保持シートは、通水性シートの形成工程の中で併せて吸水低減加工も行うことにより形成することができる。
【００４４】
本発明の毛髪保持具は、前記実施形態に制限されることなく、本発明の趣旨を逸脱しない限り、適宜変更が可能である。
吸水低減加工は、毛髪保持シートの全域に亘って施すことができ、その一部の領域のみに施すこともできる。吸水低減加工は、毛髪保持シートの一面のみに施すことができ、その両面に施すこともできる。
【００４５】
本発明の毛髪保持具は、３枚以上の毛髪保持シートから構成することができる。
本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。
【実施例】
【００４６】
以下、実施例及び比較例により本発明の効果について更に詳細に説明する。
〔実施例〕
図１に示す実施形態の毛髪保持具１を用いる。一方の毛髪保持シート２３Ａは、長さ３００ｍｍ、幅８０ｍｍ、厚み０．２１ｍｍ、坪量１００ｇ／ｍ2のポリエステル不織布からなる。
他方の毛髪保持シート２３Ｂは、長さ２５０ｍｍ、幅８０ｍｍ、厚み０．３４ｍｍ、坪量１５０ｇ／ｍ2のポリエステル不織布からなる。スリット２５は、幅０ｍｍ（薄刃で切断されて形成されているため、実質的に幅を有していない）、間隔１１ｍｍである。
毛髪保持シート２３Ａ，２３Ｂには、ヒートエンボス加工により、筒状体２の外面のみに凹部６１が形成されている。凹部６１の底部の総面積は、シート面積の３５％となっている。
毛髪保持シート２３Ａ，２３Ｂの両側部２４の接合部は、ヒートシールにより形成され、長さが２５０ｍｍ、幅が５ｍｍである。
【００４７】
〔比較例〕
毛髪保持シート２３Ａ，２３Ｂには、ヒートエンボス加工が施されておらず（つまり、比較例における毛髪保持シート２３Ａ，２３Ｂは、（未加工の）通水性シートそのものである）、凹部６１が形成されていない。その以外は、実施例と同じである。
【００４８】
前述の条件で形成された実施例及び比較例における毛髪保持具（筒状体）に対し、以下に示す吸水量試験、仕上がり評価試験及びシャンプー耐性試験を行った。
〔吸水量試験〕
毛髪保持具の乾燥質量を測定後、１％活性剤水溶液中に毛髪保持具を浸漬し、取り出した後に水滴が垂れないよう充分に水を切り、吸水後の毛髪保持具の質量を測定する。吸水後の毛髪保持具の質量から毛髪保持具の乾燥質量を引いた値を吸水量とする。
【００４９】
〔仕上がり評価試験〕
長さ２５ｃｍ、質量４ｇの毛髪束Ｈを筒状体２に挿入し、筒状体２を巻き上げる。次に、第１のパーマ処理剤を筒状体２の外面から４ｇ供給して、室温で１５分間放置する。次いで、筒状体２及びそれに挿入されている毛髪束Ｈを水で３０秒すすぎ、水気を拭き取る。その後、第２のパーマ処理剤を筒状体２の外面から４ｇ供給した後、室温で１５分間放置する。
然る後、筒状体２から毛髪束Ｈを引き抜き、水で１０秒すすいだ後に、目視で毛髪束Ｈのウェーブ形状の仕上がりの程度を評価する。
【００５０】
〔シャンプー耐性試験〕
毛髪束の質量に対し、１０分の１の質量のシャンプー及びリンスを使用して、シャンプーとそのすすぎ、及びリンスとそのすすぎをそれぞれ１０秒行い、それを１セットとして一回のシャンプーとする。
【００５１】
〔試験結果〕
各試験の結果を下記〔表１〕に示す。吸水量試験においては、比較例に比して実施例は、吸水量が約７０％となっており、吸水量の低減効果を確認できた。仕上がり評価試験及びシャンプー耐性試験においては、毛髪保持シートへの吸水量が低減したため、供給したパーマ処理剤が効率的に毛髪束に作用して、仕上がり評価及びシャンプー耐性が向上している。
【００５２】
【表１】
2007130199.tif 000003
【図面の簡単な説明】
【００５３】
【図１】図１は、本発明の毛髪保持具の一実施形態を示す斜視図で、（ａ）は正面斜視図、（ｂ）は背面斜視図である。
【図２】図２は、毛髪保持シートの厚み方向の断面図である。
【図３】図３（ａ）〜（ｃ）は、図１に示す毛髪保持具を用いて毛髪束にカールを付与する手順を順次示す斜視図である。
【図４】図４は、別の実施形態の毛髪保持具を示す背面斜視図〔図１（ｂ）対応図〕である。
【図５】図５は、更に別の実施形態の毛髪保持具を示す背面斜視図〔図１（ｂ）対応図〕である。
【図６】図６は、更に別の実施形態の毛髪保持具を示す正面図で、（ａ）は毛髪束を保持していない状態を示す図、（ｂ）は毛髪束を保持した状態を示す図である。
【符号の説明】
【００５４】
１  毛髪保持具
２  筒状体
２１  一端の開口部
２２  他端の開口部
２３、２３Ａ、２３Ｂ  毛髪保持シート
２４  側部
３  巻き締め片
４  延設部
５１  巻き留め部
５２  係合シート片
６１、６２、６３  凹部
Ｈ  毛髪束
【図１】
2007130199.tif 000004
【図２】
2007130199.tif 000005
【図３】
2007130199.tif 000006
【図４】
2007130199.tif 000007
【図５】
2007130199.tif 000008
【図６】
2007130199.tif 000009